(57)【特許請求の範囲】
【請求項１】
切削インサート（１４、１１４、２１４、３１４）であって、
インサート端面を形成するインサート上面（２６、１２６、３２６）およびインサート下面（２８）と、該インサート端面間に延在する周囲面であって反対を向いたインサート前面（３０、２３０）およびインサート後面（３２、２３２、３３２）、該インサート前面とインサート後面との間に延在する反対を向いた側面（３４）を備える周囲面と、
軸線Ａを有し、前記インサート前面と前記インサート後面とを貫通するように延びる貫通孔（７５、１７５、３７５）と、
前記インサート上面と前記インサート前面との交わり部分に形成される前切れ刃（４４、１４４）と
を備え、
前記インサート後面（３２、２３２、３３２）は、前記貫通孔を挟んで位置付けられかつ前記端面に隣接する第１部分および第２部分を備え、
該第１部分は、前記端面間の方向に延びるインサート係合要素（６８、２６８、３７０）を備え、該インサート係合要素は、互いに鈍角のインサート係合角αをつくる離れた２つの第１インサート後当接面（７２、３７２）を備え、
前記第２部分は、離れると共に同一平面上にある２つの第２インサート後当接面（７８、３７８）であって、該２つの第２インサート後当接面の一方から他方への方向において間に前記貫通孔が位置づけられた２つの第２インサート後当接面を備え、
前記インサート下面（２８）は、離れると共に同一平面上にある２つのインサート下当接面（８０、３８０）を備える
ことを特徴とする切削インサート。
【請求項２】
前記インサート係合要素は、前記インサート下面（２８）と前記貫通孔（７５）との間、または、前記インサート上面（２６、１２６、３２６）と前記貫通孔（７５、１７５、３７５）との間に位置付けられた突出部（６８、７０、３７０）を構成することを特徴とする請求項１に記載の切削インサート。
【請求項３】
前記インサート係合要素は、前記インサート下面と前記貫通孔との間、または、前記インサート上面と前記貫通孔との間に位置付けられた凹部（２６２）を構成することを特徴とする請求項１に記載の切削インサート。
【請求項４】
前記貫通孔（７５、３７５）の前記軸線（Ａ）は、前記切削インサートの側横断面において、前記インサート後面（３２、３３２）と鋭角のインサート軸線角θをつくり、
前記インサート下面（２８）は前記切削インサートの側横断面において前記インサート後面（３２、３３２）と鋭角のインサートベース角φをつくることを特徴とする請求項１に記載の切削インサート。
【請求項５】
前記インサート上面（２６、１２６、３２６）はすくい面（３８）または前逃げ面（１４０）を備え、前記インサート前面（３０）は対応する前逃げ面（４０）またはすくい面（１３８）を備えることを特徴とする請求項１に記載の切削インサート。
【請求項６】
切削工具（１０、２０）であって、
インサートポケット（１６、１１６、２１６）を有するインサートホルダ（１２、１１２、２１２、３１２）であって、該インサートポケットがポケット後面（４８、２４８、３４８）、該ポケット後面に隣接するポケット下面（５６）および該ポケット後面から後方に延びると共にねじ穴軸線Ｂを有するねじ穴（６６、３６６）を備え、
該ポケット後面はポケット第１端部および該ポケット第１端部から離れたポケット第２端部を有し、該ポケット第１端部および該ポケット第２端部は該ポケット下面（５６）から該ねじ穴（６６、３６６）の方向に該ねじ穴を挟んで位置付けられ、
該ポケット後面の前記第１端部は該ポケット第１端部から該ポケット第２端部の方向に延びるポケット係合要素（６２、２６８、３６２）を備え、該ポケット係合要素は離れた２つの第１ポケット後当接面（８４、３８４）を備え、該２つの第１ポケット後当接面は互いに鈍角のポケット係合角βをつくり、
該ポケット後面の前記第２端部は離れると共に同一平面上にある２つの第２ポケット後当接面（６０、３６０）を備え、
前記ポケット下面は離れると共に同一平面上にある２つのポケット下当接面（９０、３９０）を備える
インサートホルダ（１２、１１２、２１２、３１２）と、
前記インサートポケットに設置されて、保持ねじ（１８、１１８）によって保持される請求項１に係る切削インサートと
を備え、
前記第１インサート後当接面（７２、３７２）が前記第１ポケット後当接面（８４、３８４）に当接し、
前記第２インサート後当接面（７８、３７８）が前記第２ポケット後当接面（６０、３６０）に当接し、
前記インサート下当接面（８０、３８０）が前記ポケット下当接面（９０、３９０）に当接する
ことを特徴とする切削工具。
【請求項７】
前記ねじ穴軸線（Ｂ）は前記インサートポケットの側横断面において前記ポケット後面（４８、２４８、３４８）と鋭角のねじ穴角δをつくり、
前記ポケット下当接面（９０、３９０）は前記インサートポケットの側横断面において前記ポケット後面（４８、２４８、３４８）と鋭角のポケットベース角γをつくることを特徴とする請求項６に記載の切削工具。
【請求項８】
前記インサート係合要素は突出部（６８、７０、３７０）を構成し、前記ポケット係合要素は凹部（６２、３６２）を構成し、前記インサート係合角αは前記ポケット係合角βに等しいかあるいはそれからわずかに小さいことを特徴とする請求項６に記載の切削工具。
【請求項９】
前記インサート係合要素は凹部（２６２）を構成し、前記ポケット係合要素は突出部（２６８）を構成し、前記インサート係合角αは前記ポケット係合角βに等しいかあるいはそれからわずかに大きいことを特徴とする請求項６に記載の切削工具。
【請求項１０】
前記インサートホルダ（１２、２２、１１２、２１２、３１２）は回転溝金属切削工具の一部であることを特徴とする請求項６に記載の切削工具。
【請求項１１】
前記インサートホルダ（１２、１１２、２１２、３１２）は長方形のブレードの一部であることを特徴とする請求項６に記載の切削工具。
【請求項１２】
切削工具（１０、２０）であって、
インサートポケット（１６、１１６、２１６）を有するインサートホルダ（１２、１１２、２１２、３１２）、該インサートポケットに設置されて保持ねじ（１８、１１８）によって保持される切削インサート（１４、１１４、２１４、３１４）を備え、
該切削インサートは、
インサート端面を形成するインサート上面（２６、１２６、３２６）およびインサート下面（２８）と、該インサート端面間に延在する周囲面であって反対を向いたインサート前面（３０、２３０）およびインサート後面（３２、２３２、３３２）、該インサート前面および該インサート後面間に延在する反対を向いた側面（３４）を備える周囲面と、
軸線Ａを有し、前記インサート前面と前記インサート後面とを貫通するように延びる貫通孔（７５、１７５、３７５）と、
前記インサート上面と前記インサート前面との交わり部分に形成される前切れ刃（４４、１４４）と
を備え、
前記インサート後面（３２、２３２、３３２）は、その第１部分に、前記端面間の方向に延びるインサート係合要素（６８、２６８、３７０）を備え、該インサート係合要素は離れた２つの第１インサート後当接面（７２、３７２）を備え、該２つの第１インサート後当接面は互いに鈍角のインサート係合角αをつくり、該第１部分は前記貫通孔と前記インサート端面の一方との間に位置付けられ、
前記インサート後面の第２部分は、前記第１部分から離れ、離れると共に同一平面上にある２つの第２インサート後当接面（７８、３７８）を備え、
前記インサート下面（２８）は離れると共に同一平面上にある２つのインサート下当接面（８０、３８０）を備え、
前記インサートポケット（１６、１１６、２１６）は、
ポケット後面（４８、２４８、３４８）、該ポケット後面に隣接するポケット下面（５６）および該ポケット後面から後方に延びると共にねじ穴軸線Ｂを有するねじ穴（６６、３６６）を備え、
該ポケット後面はポケット第１端部および該ポケット第１端部から離れたポケット第２端部を有し、該ポケット第１端部および該ポケット第２端部は該ポケット下面（５６）から該ねじ穴（６６、３６６）の方向に該ねじ穴を挟んで位置付けられ、
該ポケット後面はそのポケット第１端部に該ポケット第１端部から該ポケット第２端部の方向に延びるポケット係合要素（６２、２６８、３６２）を備え、該ポケット係合要素は離れた２つの第１ポケット後当接面（８４、３８４）を備え、該２つの第１ポケット後当接面は互いに鈍角のポケット係合角βをつくり、
前記ポケット後面の前記第２端部は離れると共に同一平面上にある２つの第２ポケット後当接面（６０、３６０）を備え、
前記ポケット下面は離れると共に同一平面上にある２つのポケット下当接面（９０、３９０）を備え、
前記保持ねじ（１８、１１８）は前記切削インサートの前記貫通孔（７５、１７５、３７５）を通り、前記ねじ穴（６６、３６６）に螺合し、前記第１インサート後当接面（７２、３７２）は前記第１ポケット後当接面（８４、３８４）に当接し、前記第２インサート後当接面（７８、３７８）は前記第２ポケット後当接面（６０、３６０）に当接し、そして、前記インサート下当接面（８０、３８０）は前記ポケット下当接面（９０、３９０）に当接することを特徴とする切削工具。
【発明の詳細な説明】
【技術分野】
【０００１】
本発明は切削インサートが保持ねじを使って切削工具のインサートポケットに保持される形式の切削工具に関する。
【背景技術】
【０００２】
溝加工、旋削または突っ切り用の切削工具において、および、回転溝切削用の切削工具において、切削インサートは、しばしば、インサートポケットにおいて２つの概して対向する押え部（jaw）間に保持される。これらの工具では、切削作業の間に切削インサートの切れ刃からそのすくい面に沿って流れ出る切屑が、すくい面に隣接するその押え部に引っかかり、それにかなりのアブレシブ摩耗をうけさせ得る。この不利な結果は、インサートポケット内に切削インサートを保持するための押え部の機能をいつかは減らすだろう。
【先行技術文献】
【特許文献】
【０００３】
【特許文献１】米国特許第５９４７６４８号明細書
【特許文献２】米国特許第７０９０４４３号明細書
【発明の概要】
【発明が解決しようとする課題】
【０００４】
著しくこの不利な結果を克服する１つの解決策がフリードマンらへの特許文献１に開示されている。工具ホルダは、上押え部と下押え部とを有するホルダブレードを含み、その上押え部はそれを磨耗に対して保護するために交換可能な超硬合金製のシールドインサートを取り付けられる。しかし、これは、その工具の付加的なメンテナンスを導入する。
【０００５】
ヘクトへの特許文献２に改良された解決策が開示されている。切削インサートは、保持ねじにより切削工具のインサートポケットに保持される。切削インサートの下表面は、１対のインサート下面を備え、この１対のインサート下面は前面から後方に、外側の互いに対して非鋭角のインサート下角度で延在する。インサートポケットの下当接面は、１対の下面を備え、この１対の下面はポケット凹部から前方に、互いに対して内側ホルダ下角度で延在する。その内側ホルダ下角度は、その外側インサート下角度と等しいか、または、それよりもわずかに小さい。
【０００６】
インサートホルダに対しての切削インサートの横の安定度は、概ねＶ形状の凹（または凸）横断面を有する切削インサートの下面および後面によって与えられ、そしてそれはインサートポケットの下当接面および後当接面の対応する概ねＶ形状の凸（または凹）横断面とかみ合う。しかし、ある特定の切削状態では、その切削工具の安定度は不十分であり得る。
【０００７】
前述の欠点を著しく低減するかあるいはそれを克服する、保持ねじによってインサートポケットに保持される切削インサートを有する種類の切削工具を提供することが本発明の目的である。
【０００８】
そのポケット内での切削インサートの改良された安定度を有する、旋削または溝フライス削りで使用するための切削工具を提供することが本発明の別の目的である。
【課題を解決するための手段】
【０００９】
本発明にしたがって切削インサートが提供され、該切削インサートは、
インサート端面を形成するインサート上面およびインサート下面と、該インサート端面間に延在する周囲面であって反対を向いたインサート前面およびインサート後面、該インサート前面およびインサート後面間に延在する反対を向いた側面を備える周囲面と、
軸線Ａを有し、前記インサート前面と前記インサート後面との間に延びる貫通孔と、
前記インサート上面と前記インサート前面との交わり部分に形成される前切れ刃と
を備え、
前記インサート後面は、その第１部分に、前記端面間の方向に延びるインサート係合要素を備え、該インサート係合要素は離れた２つの第１インサート後当接面を備え、該第１部分は前記貫通孔と前記インサート端面の一方との間に位置付けられている。
【００１０】
典型的には、第１インサート後当接面は、互いにインサート係合角αをつくる。
【００１１】
さらに典型的には、該第１インサート係合角αは鈍角である。
【００１２】
なおさらに典型的には、第１インサート後当接面は平面である。
【００１３】
必要に応じて、インサート係合要素は、インサート下面と貫通孔との間に位置付けられた突出部を構成する。
【００１４】
さらに必要に応じて、インサート係合要素は、インサート上面と貫通孔との間に位置付けられた突出部を構成する。
【００１５】
さらに必要に応じて、インサート係合要素は、インサート下面と貫通孔との間に位置付けられた凹部を構成する。
【００１６】
なおさらに必要に応じて、インサート係合要素は、インサート上面と貫通孔との間に位置付けられた凹部を構成する。
【００１７】
典型的には、切削インサートは、インサート後面の第２部分に、離れた２つの第２インサート後当接面を備え、インサート後面の第１部分および第２部分は貫通孔によって分けられる。
【００１８】
必要に応じて、第２インサート後当接面は同一平面上にある。
【００１９】
典型的には、インサート下面は離れた２つのインサート下当接面を備える。
【００２０】
さらに典型的には、該インサート下当接面は同一平面上にある。
【００２１】
必要に応じて、貫通孔の軸線は、切削インサートの側横断面において、インサート後面と鋭角のインサート軸線角θをつくる。
【００２２】
さらに必要に応じて、インサート下面は切削インサートの側横断面においてインサート後面と鋭角のインサートベース角φをつくる。
【００２３】
本発明の第１実施形態によれば、インサート上面はすくい面を備え、インサート前面は前逃げ面を備え、前切れ刃はすくい面と前逃げ面との交わり部分に形成される。
【００２４】
本発明の第２実施形態によれば、インサート前面はすくい面を備え、インサート上面は前逃げ面を備え、前切れ刃はすくい面と前逃げ面との交わり部分に形成される。
【００２５】
さらに、本発明にしたがって、切削工具が提供され、該切削工具は、
インサートポケットを有するインサートホルダであって、該インサートポケットがポケット後面、該ポケット後面に隣接するポケット下面および該ポケット後面から後方に延びると共にねじ穴軸線Ｂを有するねじ穴を備え、
該ポケット後面はポケット第１端部および該ポケット第１端部から離れたポケット第２端部を有し、該ポケット第１端部および該ポケット第２端部は該ポケット下面から該ねじ穴の方向に該ねじ穴の反対側に位置付けられ、
該ポケット後面はそのポケット第１端部に該ポケット第１端部から該ポケット第２端部の方向に延びるポケット係合要素を備え、該ポケット係合要素は離れた２つの第１ポケット後当接面を備える、
インサートホルダと、
前記インサートポケットに設置されて、保持ねじによって保持される請求項１にしたがう切削インサートと
を備え、
第１インサート後当接面は第１ポケット後当接面に当接する。  
【００２６】
典型的には、第１ポケット後当接面は互いにポケット係合角βをつくる。
【００２７】
さらに典型的には、ポケット係合角βは鈍角である。
【００２８】
典型的には、ポケット後面の第２端部は離れた２つの第２ポケット後当接面を備える。
【００２９】
さらに典型的には、第２ポケット後当接面は同一平面上にある。
【００３０】
さらに典型的には、ポケット下面は離れた２つのポケット下当接面を備える。
【００３１】
典型的には、ポケット下当接面は同一平面上にある。
【００３２】
必要に応じて、ねじ穴軸線はインサートポケットの側横断面においてポケット後面と鋭角のねじ穴角δをつくる。
【００３３】
さらに必要に応じて、ポケット下当接面はインサートポケットの側横断面においてポケット後面と鋭角のポケットベース角γをつくる。
【００３４】
本発明の第１実施形態によれば、インサート係合要素は突出部を構成し、ポケット係合要素は凹部を構成し、インサート係合角αはポケット係合角βに等しいかあるいはそれからわずかに小さい。
【００３５】
本発明の第２実施形態によれば、インサート係合要素は凹部を構成し、ポケット係合要素は突出部を構成し、インサート係合角αはポケット係合角βに等しいかあるいはそれからわずかに大きい。
【００３６】
概して、インサートホルダは回転溝金属切削工具の一部である。
【００３７】
さらに概して、インサートホルダは長方形のブレードの一部である。
【００３８】
さらに、本発明にしたがって切削工具が提供され、該切削工具は、
インサートポケットを有するインサートホルダ、該インサートポケットに設置される切削インサートおよび保持ねじを備え、
該切削インサートは、
インサート端面を形成するインサート上面およびインサート下面と、該インサート端面間に延在する周囲面であって反対を向いたインサート前面およびインサート後面、該インサート前面およびインサート後面間に延在する反対を向いた側面を備える周囲面と、
軸線Ａを有し、インサート前面とインサート後面との間に延びる貫通孔と、
インサート上面とインサート前面との交わり部分に形成される前切れ刃と、
を備え、
インサート後面は、その第１部分に、端面間の方向に延びるインサート係合要素を備え、該インサート係合要素は離れた２つの第１インサート後当接面を備え、該第１部分は貫通孔とインサート端面の一方との間に位置付けられ、
インサート後面の第２端部は離れた２つの第２インサート後当接面を備え、
インサート下面は離れた２つのインサート下当接面を備え、
インサートポケットは、
ポケット後面、該ポケット後面に隣接するポケット下面および該ポケット後面から後方に延びると共にねじ穴軸線Ｂを有するねじ穴を備え、
該ポケット後面はポケット第１端部および該ポケット第１端部から離れたポケット第２端部を有し、該ポケット第１端部および該ポケット第２端部は該ポケット下面から該ねじ穴の方向に該ねじ穴の反対側に位置付けられ、
該ポケット後面はそのポケット第１端部に該ポケット第１端部から該ポケット第２端部の方向に延びるポケット係合要素を備え、該ポケット係合要素は離れた２つの第１ポケット後当接面を備え、
ポケット後面の第２端部は離れた２つの第２ポケット後当接面を備え、
ポケット下面は離れた２つのポケット下当接面を備え、
保持ねじは切削インサートの貫通孔を通り、ねじ穴に螺合し、第１インサート後当接面は第１ポケット後当接面に当接し、第２インサート後当接面は第２ポケット後当接面に当接し、そして、インサート下当接面はポケット下当接面に当接する。
【図面の簡単な説明】
【００３９】
【図１】本発明にしたがう切削工具の切削部の斜視図である。
【図２】切削インサートがそのポケットから取り外された状態の、図１の切削部の正面の斜視図である。
【図３】図２のインサートホルダの正面図である。
【図４】図２の切削インサートの背面図である。
【図５】切削インサートがインサートポケットに保持されている状態での、図３のＶ−Ｖ線に沿った断面図である。
【図６】切削インサートがインサートポケットに保持されている状態での、図３のＶＩ−ＶＩ線に沿った断面図である。
【図７】図２の切削インサートの後方の斜視図である。
【図８】図１のＶＩＩＩ−ＶＩＩＩ線に沿った横断面図である。
【図９】本発明にしたがう切削工具の別の実施形態の切削部の斜視図である。
【図１０】本発明にしたがう切削インサートの別の実施形態の後方の斜視図である。
【図１１】図１０の切削インサートを保持するためのインサートホルダポケットの別の実施形態の斜視図である。
【図１２】本発明にしたがう図１の切削部を有する切削工具の一部の斜視図である。
【図１３】本発明にしたがう切削インサートの別の実施形態の背面図である。
【図１４】図１３の切削インサートを保持するための本発明にしたがうインサートホルダの別の実施形態の正面図である。
【発明を実施するための形態】
【００４０】
さて、本発明のより良い理解のために、および、それが実際にどのように実行され得るのかを示すために、参照が、添付図面になされるだろう。
【００４１】
注意は本発明にしたがう切削工具１０の切削部を示す図１に第１に引きつけられる。切削工具１０は、溝加工、側部旋削、および突っ切りのような金属切削作業のために用いられ得る。切削工具１０は、長方形のブレードの形のインサートホルダ１２を備え、保持ねじ１８を用いてインサートポケット１６に保持される切削インサート１４を有する。切削インサート１４は一般的にフォームプレス（form-pressing）や超硬合金粉末を焼結することによって製造される。
【００４２】
切削工具１０は、切削インサート１４、インサートポケット１６、および、インサートポケット１６に隣接するインサートホルダ１２のすぐ隣の周辺を含む切削部２４を備える。なお、明細書や特許請求の範囲の全体にわたってあらわれる方向に関する用語、例えば「前」、「後」、「上」、「下」などは、互いに対して様々な表面の位置を特徴付けるのに便利な用語として用いられる。これらの用語は図１から図１４を参照して定められるが、それらは、説明に役立つことのみを目的として用いられ、添付した特許請求の範囲の範囲を制限することを意図していない。
【００４３】
さらに注意は図２から図８に引きつけられる。切削インサート１４はインサート上面２６、インサート下面２８およびそれらの間の周囲面を備える。インサート上面２６およびインサート下面２８はインサート端面を形成する。周囲面はインサート前面３０、該インサート前面３０と反対を向いたインサート後面３２、および、インサート前面３０とインサート後面３２との間に延在する反対を向いた側面３４を備える。被加工物から削り取られた切屑が上を流れるすくい面３８は、インサート上面２６に位置付けられ、前逃げ面４０はインサート前面３０に位置付けられ、側部逃げ面４２は各側面３４に位置付けられている。前切れ刃４４はすくい面３８の前逃げ面４０との交わり部分に形成され、側部切れ刃４６はすくい面３８の各側部逃げ面４２との交わり部分に形成される。
【００４４】
切削インサート１４は、インサート上面２６の端とインサート下面２８の端との間の第１寸法Ｄ１、インサート前面３０の端とインサート後面３２の端との間の第２寸法Ｄ２、および、切削インサート１４の両側面３４の端の間の第３寸法Ｄ３を有する。典型的に、第１寸法Ｄ１は、第２寸法Ｄ２よりも長く、第３寸法Ｄ３よりも長い。切削インサート１４は、軸線Ａを有する貫通孔７５を備え、貫通孔７５はインサート前面３０とインサート後面３２との間に延びる。好ましくは、図８に示されるように、軸線Ａは、切削インサートの側横断面に見られるようにインサート後面３２と鋭角のインサート軸線角θをつくる。同様に、インサート下面２８は、切削インサートの側横断面に見られるように、インサート後面３２と鋭角のインサートベース角φをつくる。
【００４５】
図４を参照して、インサート後面３２は、下突出部６８を構成するインサート係合要素を備え、本発明の別の実施形態によれば、上突出部７０が設けられ得る。下突出部６８は、後方に突出し、端面間の方向に延在し、そして、インサート下面２８と貫通孔７５との間に位置付けられている。上突出部７０はインサート上面２６と貫通孔７５との間に位置付けられている。下突出部６８は中間セクション７４によって分けられた第１インサート後当接面７２を備えている。中間セクションは、平らな面であり得、貫通孔７５の軸線Ａと直角であり得る。
【００４６】
第１インサート後当接面７２は、平らな面であり得、互いにインサート係合角αをつくる。典型的には、インサート係合角αは９０°から１５０°の範囲にあり得る。インサート後面３２の上端部７６は、離れるように間隔をあけられた２つの第２インサート後当接面７８を有し、この２つの第２インサート後当接面７８は同一平面上にあり得ると共に上突出部７０によって分けられ得る。インサート下面２８は離れるように間隔をあけられた２つのインサート下当接面８０を備え、２つのインサート下当接面８０は同一平面上にあり得る。
【００４７】
インサートポケット１６はポケット後面４８を有し、ポケット後面４８はそれの上端部５０と下端部５２との間に延びる。ポケット後面４８の上端部５０および下端部５２は、ポケット端面を構成する。ねじ孔６６は、ねじ孔軸線Ｂを有し、後面４８に形成され、インサートホルダ１２の中へ後方に延びる。ポケット後面４８はその下端部５２で、ポケット凹部５４を介して、ポケット下面５６につなげられている。ポケット凹部５４はインサートホルダ１２の側面５５間に延びている。ホルダ上面５８は、ポケット後面４８の上端部５０から後方に延びている。後面４８は、ポケット下面５６の遠位のその上部に沿って、離れるように間隔をあけられた２つの第２ポケット後当接面６０を有し、ポケット係合要素を構成する後凹部６２によって分けられる。後凹部６２はねじ孔６６からポケット凹部５４まで延在し、本発明の別の実施形態によれば、ホルダ上面５８からねじ孔６６まで延び得る。２つの第２ポケット後当接面６０は同一平面上にあり得る。
【００４８】
ポケット凹部５４に近接した後凹部６２の下端部８２は、離れるように間隔をあけられた２つの第１ポケット後当接面８４を有し、２つの第１ポケット後当接面８４は互いにポケット係合角βをつくる。典型的には、ポケット係合角βは、９０°から１５０°までの範囲にあり得る。インサート係合角αは、ポケット係合角βに等しいかまたはそれからわずかに小さくあり得る。切削インサート１４の第１インサート後当接面７２とインサートポケット１６の第１ポケット後当接面８４とは、図１において矢印Ｅによって示される、側面５５に直交する方向における、インサートポケット１６に対する切削インサート１４の横方向の動きを妨げるように関係付けられている。
【００４９】
インサートポケット１６のポケット下面５６は２つのポケット下当接面９０に下凹部８８によって分けられている。図８に示されているように、ポケット下当接面９０はポケット後面４８とポケットベース角γをつくる。好ましくは、ポケットベース角γは、ポケット角γが非鋭角であるときよりも、インサートポケット１６における切削インサート１４のより安定した着座を提供するように鋭角であり、したがって切削工具１０の安定度を増す。同様に、ねじ穴６６のねじ穴軸線Ｂはインサートポケット１６の後面４８とねじ穴角δをつくる。好ましくは、角δは、切削インサート１４をインサートポケット１６内に固定する楔力（wedging force）を増すことができるように鋭角であり、したがってまた、切削工具１０の安定度を増す。
【００５０】
そして、図５、６および８に示されるように、保持ねじが貫通孔７５を通ってねじ穴６６にねじ込まれて完全に締め付けられることで切削インサート１４がインサートポケット１６にしっかりと保持されているとき、切削インサート１４の第１インサート後当接面７２はインサートポケット１６の第１ポケット後当接面８４に当接し、切削インサート１４の第２インサート後当接面７８はインサートポケット１６の第２ポケット後当接面６０に当接し、そして、切削インサート１４のインサート下当接面８０はインサートポケット１６のポケット下当接面９０に当接する。
【００５１】
図９は、本発明にしたがう別の実施形態の切削工具１１０を示す。示されているように、切削インサート１１４は、保持ねじ１１８によってインサートホルダ１１２のインサートポケット１１６内に保持される。切削インサート１１４は、すくい面１３８と前逃げ面１４０との交わり部分に形成された前切れ刃１４４を有する。この実施形態では、前逃げ面１４０はインサート上面１２６に作られ、切削インサート１１４の貫通孔１７５は切削インサートのすくい面１３８がある同じ側部に位置付けられ、この側部は切削工具１１０の切削セクション１２４の一部を形成する。
【００５２】
図１２は、図１の切削部を有して、そして回転溝金属切削作業のために使われる本発明にしたがう切削工具２０の部分的な斜視図を示す。切削工具２０は円形のディスクの形のインサートホルダ２２を備え、切削インサート１４は保持ねじ１８を用いて同一のインサートポケット１６に保持され、該ディスクの周辺の周りに配置されている。
【００５３】
図１０に示されているように本発明の別の実施形態によれば、切削インサート２１４の後面２３２は後方に延びる突出部を備えなくてもよいが、それは切削インサートの上面からその下面の方向に延びる凹部２６２を備えて形成され得る。同様に、図１１のインサートホルダ２１２に示されているように、インサートポケット２１６の後面２４８は、凹部を備えなくてもよいが、それは後面２４８の下端部２５２からその上端部２５０の方向に延びる前方に突出する突出部２６８を備えて形成され得る。
【００５４】
図１３および図１４は、本発明にしたがう切削インサート３１４およびインサートホルダ３１２の別の実施形態を示す。図１３および図１４に示されているように、インサート後面３３２の下端部は離れるように間隔をあけられた２つの第２インサート後当接面３７８を備える。後面３３２の上端部３７６は上突出部３７０を備え、インサート係合要素を構成し、インサート上面３２６と貫通孔３７５との間に位置付けられる。上突出部３７０は、中間セクション３７４によって分けられる第１インサート後当接面３７２を備える。中間セクション３７４は、平らな面であり得、貫通孔３７５の軸線Ａと直角であり得る。第１インサート後当接面３７２は平らな面であり得、インサート係合角α１を互いにつくる。インサート係合角α１は具体的に図面に示されず、図５に示されているインサート係合角αに類似する。
【００５５】
インサートポケットはポケット後面３４８を有する。ポケット後面３４８の上部は後凹部３６２を備え、後凹部３６２はポケット後面３４８の上端部３７６とねじ穴３６６との間に延在する。後凹部３６２の上端部は、互いにポケット係合角β１をつくる、離れるように間隔をあけられた２つの第１ポケット後当接面３８４を有する。ポケット係合角β１は、具体的に図面に示されず、図５に示されているポケット係合角βに類似する。ポケット後面３４８の下部は離れるように間隔をあけられた２つの第２ポケット後当接面３６０を有する。好ましくは、第２ポケット後当接面３６０は同一平面上にある。
【００５６】
そして、保持ねじが貫通孔を通ってねじ穴にねじ込まれて完全に締め付けられることで切削インサートがインサートポケットにしっかりと保持されているとき、既に上で説明されたように、第１インサート後当接面３７２は第１ポケット後当接面３８４に当接し、第２インサート後当接面３７８は第２ポケット後当接面３６０に当接し、そして、インサート下当接面３８０はポケット下当接面３９０に当接する。
【００５７】
本発明はある程度詳細に説明されたけれども、以下に請求されるような本発明の精神または範囲から外れることなしに種々の修正や変更がなされ得ることが理解されるべきである。例えば、上で説明されたように、インサート係合要素を構成する切削インサートの後面における突出部は、切削インサートの貫通孔と切削インサートの端面の一方との間に延在することに、限定されるべきではない。代わりに、それは、図４、７および１３に示されるように、一方の端面から貫通孔まで、そして貫通孔から他方の端面まで延在することができる。しかし、このような場合、係合要素が貫通穴の両側に延在するという事実にもかかわらず、それは、図４および図７で数字７２によっておよび図１３で数字３７２によって示されるように、ただ１つの係合要素、すなわち、貫通孔からその一方の側で近くの端面に向けて延在する突出部に関する、第１インサート後当接面である。
【００５８】
同じようなことが、インサートポケットの後面における対応する凹部に対しても当てはまり、すなわち、切削インサートの後面における凹部は、上で説明されたように、ねじ穴から後面の上端部または下端部に向けて延在することに、限定されるべきではない。代わりに、それは、図２、５および１４に示されるように、後面の下端部からねじ穴まで、そしてねじ穴から後面の上端部まで延在することができる。しかし、このような場合、係合要素がねじ穴の両側に延在するという事実にもかかわらず、それは、図２および図３で数字８４によっておよび図１４で数字３８４によって示されるように、ただ１つの係合要素、すなわち、ねじ穴からその一方の側でポケット後面の近くの端部に向けて延在する凹部に関する、第１ポケット後当接面から成る。同様に、同様の説明が図１０および図１１に示された切削インサートおよびインサートポケットに対しても当てはまる。
【００５９】
切削インサートまたはインサートポケットの係合要素は、それが突出部であろうと凹部であろうと、貫通孔またはねじ穴から近くの端部まで、図に示されているように延びなくてもよい。代わりに、それは、貫通孔またはねじ穴と近くの端部との間の一部でのみ延在することができる。
【００６０】
第１インサート後当接面は、互いにインサート係合角をつくる。既に述べたように、第１インサート後当接面は、平らである必要はなく、それらはわずかに湾曲してもよい。このような場合、平易さのために、２つの第１インサート後当接面は、互いにインサート係合角をつくり、該角は、対応する当接面の平均的な方向に平行な２つの線の間で、第１インサート後当接面が図５においてと同様にある平面での横断面図において見られるのと同様に、平均的な方向を表す各線が特徴付けられるとき、測られる。
【００６１】
インサート後当接面は凹形であるか、あるいは凸形であることができる。同様に、同じようなことが第１ポケット後当接面に当てはまる。
【図１】
0005451612.tif 000002
【図２】
0005451612.tif 000003
【図３】
0005451612.tif 000004
【図４】
0005451612.tif 000005
【図５】
0005451612.tif 000006
【図６】
0005451612.tif 000007
【図７】
0005451612.tif 000008
【図８】
0005451612.tif 000009
【図９】
0005451612.tif 000010
【図１０】
0005451612.tif 000011
【図１１】
0005451612.tif 000012
【図１２】
0005451612.tif 000013
【図１３】
0005451612.tif 000014
【図１４】
0005451612.tif 000015